(57)【要約】【課題】救急患者を受入れ可能な病院を適切に決定する。【解決手段】救急病院選択システム１において、車両端末２は、緊急車両に搭載され、管理サーバ３から救急現場から向かうべき病院の識別情報を取得し、表示する。管理サーバ３は、所定の地域を管轄する統括センタに設置され、車両端末２から病院の問合せがあったときに、病院サーバ４に各病院の対応時間（救急患者の対応が可能になるまでの時間）の問合せを行い、救急現場と、各病院との間の距離等から求めた移動時間を考慮しながら、最適な病院を選択し、車両端末２に通知する。病院サーバ４は、管轄地域にある病院ごとに設置され、管理サーバ３と通信することにより、管理サーバ３から対応時間の問合せがあったときに、医師や手術室等の状況から現時点における対応時間を計算し、通知する。管理サーバ３と、各病院サーバ４とは、例えば、ＷＡＮ等のネットワーク５を介して通信可能に構成される。【選択図】図１
2011048775.tif 000002
【特許請求の範囲】
【請求項１】
緊急車両に搭載された端末から、当該端末の位置情報を含む、傷病者を受入れ可能な受入れ病院の問合せを受信する管理サーバと、
前記管理サーバから病院が傷病者に対応可能になるまでの対応時間の問合せを受信し、当該対応時間を計算し、当該管理サーバに送信する病院サーバと、
を備え、
前記管理サーバは、
前記病院ごとに当該病院の位置情報を予め記憶する手段と、
前記端末から前記受入れ病院の問合せを受信した場合に、前記病院ごとに、当該病院サーバに前記対応時間の問合せを送信し、その応答として当該病院サーバから前記対応時間を受信し、記憶する手段と、
前記受入れ病院の問合せに含まれる前記端末の位置情報と、予め記憶された各病院の前記位置情報とに基づいて、前記病院ごとに前記緊急車両の現在位置から当該病院までの移動時間を計算し、記憶する手段と、
前記病院ごとに、前記対応時間及び前記移動時間のうち、大きい方を当該病院が前記傷病者を受入れ可能になるまでの受入れ時間として記憶する手段と、
各病院の前記受入れ時間のうち、最小値を特定し、当該最小値に係る前記病院を前記受入れ病院として選択し、当該病院に関する情報を前記端末に送信する手段と、
を備える
ことを特徴とする救急病院選択システム。
【請求項２】
請求項１に記載の救急病院選択システムであって、
前記管理サーバは、
予め記憶された各病院の前記位置情報に基づいて、前記端末の位置を含む所定の範囲内に位置する病院を前記受入れ病院の選択対象とし、
前記最小値が所定値以下の場合に、当該最小値に係る前記病院を受入れ病院として選択し、当該病院に関する情報を前記端末に送信し、
前記最小値が所定値より大きい場合に、前記範囲を拡大し、当該範囲内に位置する病院を前記受入れ病院の選択対象とする
ことを特徴とする救急病院選択システム。
【請求項３】
請求項１又は請求項２に記載の救急病院選択システムであって、
前記病院サーバは、
前記管理サーバから前記対応時間の問合せを受信した場合に、当該病院に属する１以上の医師の前記対応時間を計算する手段と、
計算した前記対応時間のうち、最小値を特定し、当該病院の対応時間として前記管理サーバに送信する手段と、
を備えることを特徴とする救急病院選択システム。
【請求項４】
請求項３に記載の救急病院選択システムであって、
前記病院サーバは、
当該病院の各医師が所持する携帯端末と通信することにより、当該携帯端末の位置情報を随時取得し、記憶する手段をさらに備え、
前記対応時間を計算する際に、記憶された前記携帯端末の位置が当該病院内である場合に、当該携帯端末の位置から手術室までの医師の移動時間を計算し、当該移動時間を前記対応時間として記憶する
ことを特徴とする救急病院選択システム。
【請求項５】
請求項３に記載の救急病院選択システムであって、
前記病院サーバは、
当該病院に属する医師が手術中に発する当該手術の進捗率を示すキーワードを予め記憶する手段と、
手術中の医師が発した音声データを取得した場合に、当該音声データが前記キーワードだったときに、当該キーワードが示す前記進捗率に基づいて当該手術が終了する手術終了時刻を計算し、計算した前記手術終了時刻を前記医師に対応付けて記憶する手段と、
をさらに備え、
前記対応時間を計算する際に、記憶された前記手術終了時刻から現在時刻を減算し、その減算値を前記対応時間として記憶する
ことを特徴とする救急病院選択システム。
【請求項６】
緊急車両に搭載された端末から、当該端末の位置情報を含む、傷病者を受入れ可能な受入れ病院の問合せを受信する管理サーバであって、
前記病院ごとに当該病院の位置情報を予め記憶する手段と、
前記端末から前記受入れ病院の問合せを受信した場合に、前記病院ごとに、当該病院のサーバに対して、前記所定の地域に位置する病院が前記傷病者に対応可能になるまでの対応時間の問合せを送信し、その応答として当該サーバから前記対応時間を受信し、記憶する手段と、
前記受入れ病院の問合せに含まれる前記端末の位置情報と、予め記憶された各病院の前記位置情報とに基づいて、前記病院ごとに前記緊急車両の現在位置から当該病院までの移動時間を計算し、記憶する手段と、
前記病院ごとに、前記対応時間及び前記移動時間のうち、大きい方を当該病院が前記傷病者を受入れ可能になるまでの受入れ時間として記憶する手段と、
各病院の前記受入れ時間のうち、最小値を特定し、当該最小値に係る前記病院を前記受入れ病院として選択し、当該病院に関する情報を前記端末に送信する手段と、
を備える
ことを特徴とする管理サーバ。
【請求項７】
請求項６に記載の管理サーバであって、
予め記憶された各病院の前記位置情報に基づいて、前記端末の位置を含む所定の範囲内に位置する病院を前記受入れ病院の選択対象とし、
前記最小値が所定値以下の場合に、当該最小値に係る前記病院を受入れ病院として選択し、当該病院に関する情報を前記端末に送信し、
前記最小値が所定値より大きい場合に、前記範囲を拡大し、当該範囲内に位置する病院を前記受入れ病院の選択対象とする
ことを特徴とする管理サーバ。
【請求項８】
管理サーバから所定の地域に位置する病院が傷病者に対応可能になるまでの対応時間の問合せを受信し、当該対応時間を計算し、当該管理サーバに送信する病院サーバであって、
前記管理サーバから前記対応時間の問合せを受信した場合に、当該病院に属する１以上の医師の前記対応時間を計算する手段と、
計算した前記対応時間のうち、最小値を特定し、当該病院の対応時間として前記管理サーバに送信する手段と、
を備えることを特徴とする病院サーバ。
【請求項９】
請求項８に記載の病院サーバであって、
当該病院の各医師が所持する携帯端末と通信することにより、当該携帯端末の位置情報を随時取得し、記憶する手段をさらに備え、
前記対応時間を計算する際に、記憶された前記携帯端末の位置が当該病院内である場合に、当該携帯端末の位置から手術室までの医師の移動時間を計算し、当該移動時間を前記対応時間として記憶する
ことを特徴とする病院サーバ。
【請求項１０】
請求項８に記載の病院サーバであって、
当該病院に属する医師が手術中に発する当該手術の進捗率を示すキーワードを予め記憶する手段と、
手術中の医師が発した音声データを取得した場合に、当該音声データが前記キーワードだったときに、当該キーワードが示す前記進捗率に基づいて当該手術が終了する手術終了時刻を計算し、計算した前記手術終了時刻を前記医師に対応付けて記憶する手段と、
をさらに備え、
前記対応時間を計算する際に、記憶された前記手術終了時刻から現在時刻を減算し、その減算値を前記対応時間として記憶する
ことを特徴とする病院サーバ。
【発明の詳細な説明】
【技術分野】
【０００１】
本発明は、傷病者を受入れ可能な病院を選択するシステムに関する。
【背景技術】
【０００２】
近年、複数の医療現場において、医師の不足（絶対数・専門医の不均衡）や、病床の不足等の理由により、傷病者の受入れ拒否の問題が発生している。  
そのような問題の対策として、東京都のある医療ネットワークシステムでは、２４の病院が現在の受入れ状況に関する情報を共有し、新たな傷病者に対して受入れ「可・否」を回答するようになっている。また、特許文献１には、救急通報端末が発信した通報元の詳細情報に基づいて、救急用車両が通報元の住所地域へ効率よく短時間で到着するとともに、搬送先ごとに得られる搬送先情報に基づいて、通報元から搬送先へ傷病者を確実かつ迅速に搬送する救急用車両の配車管理方法が提案されている。
【先行技術文献】
【特許文献】
【０００３】
【特許文献１】特開２００１−３２５６８９号公報
【発明の概要】
【発明が解決しようとする課題】
【０００４】
しかしながら、上記の医療ネットワークシステムでは、医師等が診療に忙殺され、共有情報の更新が遅れるために、最新の状況が共有情報に反映されず、実際には受入れ可能なのに搬入が拒否される場合があった。また、特許文献１の技術では、問合せ時点における搬送先情報（空きベッドの状況、現在対応可能な医師の数等）だけで傷病者の受入れ可否を判定するので、将来的な予想が含まれないため、精度のよい判定ができずに、病院選択の幅が狭くなる。
【０００５】
本発明は、上記課題を鑑みてなされたものであり、その主たる目的は、傷病者を受入れ可能な病院を適切に決定することにある。
【課題を解決するための手段】
【０００６】
上記課題を解決するために、本発明は、救急病院選択システムであって、緊急車両に搭載された端末から、当該端末の位置情報を含む、傷病者を受入れ可能な受入れ病院の問合せを受信する管理サーバと、前記管理サーバから病院が傷病者に対応可能になるまでの対応時間の問合せを受信し、当該対応時間を計算し、当該管理サーバに送信する病院サーバと、を備え、前記管理サーバが、前記病院ごとに当該病院の位置情報を予め記憶する手段と、前記端末から前記受入れ病院の問合せを受信した場合に、前記病院ごとに、当該病院サーバに前記対応時間の問合せを送信し、その応答として当該病院サーバから前記対応時間を受信し、記憶する手段と、前記受入れ病院の問合せに含まれる前記端末の位置情報と、予め記憶された各病院の前記位置情報とに基づいて、前記病院ごとに前記緊急車両の現在位置から当該病院までの移動時間を計算し、記憶する手段と、前記病院ごとに、前記対応時間及び前記移動時間のうち、大きい方を当該病院が前記傷病者を受入れ可能になるまでの受入れ時間として記憶する手段と、各病院の前記受入れ時間のうち、最小値を特定し、当該最小値に係る前記病院を前記受入れ病院として選択し、当該病院に関する情報を前記端末に送信する手段と、を備えることを特徴とする。
【０００７】
この構成によれば、傷病者の受入れ病院を選択する際に、救急現場から病院までの移動時間だけでなく、病院が傷病者に対応できるようになるまでの対応時間も加味するので、すぐには無理であってもしばらくすれば対応可能になる病院が選択肢に入るため、病院選択の幅が広くなり、受入れ拒否によるたらい回しを回避することができる。そして、例えば、救急現場から近くても対応可能になるまで時間のかかる病院と、救急現場から遠くても対応可能になるまでの時間が短い病院とがあったとしても、実際に受入れ可能になるまでの受入れ時間に従って評価するので、最適な病院を選択することができる。
【０００８】
また、本発明は、上記救急病院選択システムにおいて、前記管理サーバが、予め記憶された各病院の前記位置情報に基づいて、前記端末の位置を含む所定の範囲内に位置する病院を前記受入れ病院の選択対象とし、前記最小値が所定値以下の場合に、当該最小値に係る前記病院を受入れ病院として選択し、当該病院に関する情報を前記端末に送信し、前記最小値が所定値より大きい場合に、前記範囲を拡大し、当該範囲内に位置する病院を前記受入れ病院の選択対象とすることとしてもよい。  
この構成によれば、受入れ病院として選択する病院の範囲を決めることにより、傷病者の受入れ時間が所定値以下になる病院を探すので、受入れ時間を限定することができる。そして、受入れ時間が所定値以下の病院がなければ、範囲を拡大して病院を探すことにより、即時対応可能な又は対応時間の短い病院が見つかる可能性が出る。
【０００９】
また、本発明は、上記救急病院選択システムにおいて、前記病院サーバが、前記管理サーバから前記対応時間の問合せを受信した場合に、当該病院に属する１以上の医師の前記対応時間を計算する手段と、計算した前記対応時間のうち、最小値を特定し、当該病院の対応時間として前記管理サーバに送信する手段と、を備えることとしてもよい。  
この構成によれば、病院サーバは、病院に複数の医師がいる場合に、傷病者の対応ができるようになるまでの時間が最も短い医師、すなわち、最も早く傷病者の対応ができる医師の対応時間を管理サーバに通知する。これによれば、病院は、傷病者の対応時間の問合せに対して最善の対処をすることができる。
【００１０】
また、本発明は、上記救急病院選択システムにおいて、前記病院サーバが、当該病院の各医師が所持する携帯端末と通信することにより、当該携帯端末の位置情報を随時取得し、記憶する手段をさらに備え、前記対応時間を計算する際に、記憶された前記携帯端末の位置が当該病院内である場合に、当該携帯端末の位置から手術室までの医師の移動時間を計算し、当該移動時間を前記対応時間として記憶することとしてもよい。  
この構成によれば、病院の中にいる医師を探して傷病者の対応を行わせるので、医師が手術室の控室に待機する等、すぐに対応可能な状態でなくても、院内にいれば対応の候補になるため、受入れ病院を選択する幅が広くなる。そして、医師の手術室までの移動時間を計算することにより、当該病院の対応時間を精度よく求めることができる。
【００１１】
また、本発明は、上記救急病院選択システムにおいて、前記病院サーバが、当該病院に属する医師が手術中に発する当該手術の進捗率を示すキーワードを予め記憶する手段と、手術中の医師が発した音声データを取得した場合に、当該音声データが前記キーワードだったときに、当該キーワードが示す前記進捗率に基づいて当該手術が終了する手術終了時刻を計算し、計算した前記手術終了時刻を前記医師に対応付けて記憶する手段と、をさらに備え、前記対応時間を計算する際に、記憶された前記手術終了時刻から現在時刻を減算し、その減算値を前記対応時間として記憶することとしてもよい。  
この構成によれば、手術中のためすぐに対応できない医師であっても、対応の候補になるため、受入れ病院を選択する幅が広くなる。そして、手術中の医師が手術の進捗率を示すキーワードを発することにより、当該手術が終了する時刻を計算するので、当該病院の対応時間を精度よく求めることができる。
【００１２】
なお、本発明は、管理サーバ及び病院サーバを含む。その他、本願が開示する課題及びその解決方法は、発明を実施するための形態の欄、及び図面により明らかにされる。
【発明の効果】
【００１３】
本発明によれば、救急患者を受入れ可能な病院を適切に決定することができる。
【図面の簡単な説明】
【００１４】
【図１】救急病院選択システム１について示す図であり、（ａ）は救急病院選択システム１の構成を示し、（ｂ）は救急病院選択システム１のイメージ図を示す。
【図２】管理サーバ３の構成を示す図である。
【図３】病院サーバ４の構成を示す図である。
【図４】管理サーバ３の記憶部３５に記憶されるデータの構成を示す図であり、（ａ）は病院データ３５Ａの構成を示し、（ｂ）は対象病院データ３５Ｂの構成を示し、（ｃ）は検索範囲データ３５Ｃの構成を示す。
【図５】病院サーバ４の記憶部４５に記憶されるデータの構成を示す図であり、（ａ）は部門医師データ４５Ａの構成を示し、（ｂ）は空き状況データ４５Ｂの構成を示し、（ｃ）は医師対応時間データ４５Ｃの構成を示す。
【図６】病院サーバ４の記憶部４５に記憶されるデータの構成を示す図であり、（ａ）は術式別キーワードデータ４５Ｅの構成を示し、（ｂ）は医師別終了時刻データ４５Ｆの構成を示す。
【図７】管理サーバ３の病院検索処理を示すフローチャートである。
【図８】病院サーバ４の問合せ対応処理を示すフローチャートである。
【図９】病院サーバ４の手術終了時刻予測処理を示すフローチャートである。
【発明を実施するための形態】
【００１５】
以下、図面を参照しながら、本発明を実施するための形態を説明する。本発明の実施の形態に係る救急病院選択システム１は、救急車の移動時間だけでなく、病院の状態（医師、ベッド、手術室の空き状況等）を把握し、それらに基づいて傷病者を救急現場から搬送すべき病院を選択するシステムであって、病院ごとに、救急車の移動時間及び病院の対応が可能になるまでの時間（現時点から医師が傷病者に対応可能になるまでの時間）を計算し、移動時間及び対応時間の大きい方を受入れ可能になるまでの受入れ時間とし、受入れ時間が最小の病院を決める。そして、医師が対応可能になるまでの時間を計算するために、手術中の医師の進捗状況を示すキーワードを音声認識することにより、手術の終了時刻を予測する。
【００１６】
これによれば、すぐに対応できなくても、しばらく待てば対応可能になる病院を探し、さらに現場から病院までの移動時間を考慮して搬送すべき病院を選択することにより、現時点において適切な病院を決定することができる。
【００１７】
≪システムの構成と概要≫
図１は、救急病院選択システム１について示す図である。図１（ａ）は、救急病院選択システム１の構成を示す。救急病院選択システム１は、車両端末２、管理サーバ３及び複数の病院サーバ４を備える。車両端末２は、救急車等の緊急車両に搭載され、無線で管理サーバ３と通信することにより、現在地である救急現場から向かうべき病院等の医療機関の識別情報を取得し、表示する。これにより、救急隊員は、現場で迷うことなく、適切な医療機関に救急患者や負傷者を搬送することができる。管理サーバ３は、所定の地域を管轄する統括センタに設置され、車両端末２及び病院サーバ４と通信することにより、車両端末２から受入れ病院の問合せがあったときに、病院サーバ４に各病院の対応時間（救急患者の対応が可能になるまでの時間）の問合せを行うとともに、救急現場と、各病院との間の距離等から求めた移動時間を考慮しながら、最適な病院を選択し、車両端末２に通知する。病院サーバ４は、管理サーバ３の管轄地域にある病院ごとに設置され、管理サーバ３と通信することにより、管理サーバ３から対応時間の問合せがあったときに、医師や手術室等の状況から現時点における対応時間を計算し、通知する。なお、管理サーバ３と、各病院サーバ４とは、例えば、ＷＡＮ（Wide Area Network）等のネットワーク５を介して通信可能に構成される。
【００１８】
図１（ｂ）は、救急病院選択システム１のイメージ図を示す。救急車の位置は、その救急車に搭載された車両端末２がＧＰＳ（Global Positioning System）位置情報を受信することにより、把握する。各病院の位置は、各病院の地域を管轄する統括センタに設置された管理サーバ３に予め記憶される。各病院では、設置された病院サーバ４により、医師等のスタッフや、ベッド、手術室等の設備の最新状況に応じて現時点における最短の対応時間を計算し、統括センタの管理サーバ３に通知する。管理サーバ３は、検索範囲を特定し、その範囲内にある各病院の対応時間及び救急車の移動時間に基づいて、適切な病院を選択する。救急車の移動時間は、カーナビシステムから取得する移動経路や該当する道路の混雑状況のデータを用いることにより、精度よく求めることができる。なお、特定した検索範囲内で適切な病院を探せなかった場合には、検索範囲を広げて病院の探索を継続する。
【００１９】
図２は、管理サーバ３の構成を示す図である。管理サーバ３は、通信部３１、表示部３２、入力部３３、処理部３４及び記憶部３５を備える。通信部３１は、無線により車両端末２と通信し、ネットワーク５を介して病院サーバ４とＩＰ（Internet Protocol）通信を行う部分であり、例えば、ＮＩＣ（Network Interface Card）等によって実現される。表示部３２は、処理部３４からの指示によりデータを表示する部分であり、例えば、液晶ディスプレイ（ＬＣＤ：Liquid Crystal Display）等によって実現される。入力部３３は、オペレータがデータ（例えば、管轄地域の病院名や検索範囲のデータ）を入力する部分であり、例えば、キーボードやマウス等によって実現される。処理部３４は、各部間のデータの受け渡しを行うととともに、管理サーバ３全体の制御を行うものであり、ＣＰＵ（Central Processing Unit）が所定のメモリに格納されたプログラムを実行することによって実現される。記憶部３５は、処理部３４からデータを記憶したり、記憶したデータを読み出したりするものであり、例えば、フラッシュメモリやハードディスク装置等の不揮発性記憶装置によって実現される。
【００２０】
図３は、病院サーバ４の構成を示す図である。病院サーバ４は、通信部４１、表示部４２、入力部４３、処理部４４及び記憶部４５を備える。通信部４１は、ネットワーク５を介して管理サーバ３とＩＰ通信を行う部分であり、例えば、ＮＩＣ等によって実現される。表示部４２は、処理部４４からの指示によりデータを表示する部分であり、例えば、液晶ディスプレイ（ＬＣＤ）等によって実現される。入力部４３は、オペレータがデータ（例えば、当該病院内の診療部門や所属医師名のデータ）を入力する部分であり、例えば、キーボードやマウス等によって実現される。処理部４４は、各部間のデータの受け渡しを行うととともに、病院サーバ４全体の制御を行うものであり、ＣＰＵが所定のメモリに格納されたプログラムを実行することによって実現される。記憶部４５は、処理部４４からデータを記憶したり、記憶したデータを読み出したりするものであり、例えば、フラッシュメモリやハードディスク装置等の不揮発性記憶装置によって実現される。
【００２１】
≪データの構成≫
図４は、管理サーバ３の記憶部３５に記憶されるデータの構成を示す図である。図４（ａ）は、病院データ３５Ａの構成を示す。病院データ３５Ａは、管理サーバ３が管轄する地域にある病院に関するデータであり、病院名３５Ａ１、位置情報３５Ａ２及びサーバアドレス３５Ａ３を含むレコードからなる。病院名３５Ａ１は、管轄地域にある病院の名称である。位置情報３５Ａ２は、当該病院の位置を示す情報であり、例えば、緯度や経度である。サーバアドレス３５Ａ３は、当該病院に設置された病院サーバ４のネットワークアドレス（ＭＡＣ［Media Access Control］アドレス、ＩＰアドレス等）であり、管理サーバ３が各病院サーバ４と通信するために用いられる。
【００２２】
図４（ｂ）は、対象病院データ３５Ｂの構成を示す。対象病院データ３５Ｂは、管理サーバ３が特定した検索範囲にある病院に関するデータであり、病院名３５Ｂ１、距離３５Ｂ２、移動時間３５Ｂ３、対応時間３５Ｂ４及び受入れ時間３５Ｂ５を含むレコードからなる。病院名３５Ｂ１は、検索範囲に従って病院データ３５Ａから位置情報３５Ａ２により抽出された病院の名称である。距離３５Ｂ２は、当該病院と、救急現場との間の移動距離であり、移動経路に沿った距離が設定される。移動時間３５Ｂ３は、救急現場から病院までの移動時間であり、少なくとも移動距離を救急車の平均速度で除算した値が設定されるが、移動経路における混雑状況等を反映するようにしてもよい。対応時間３５Ｂ４は、現時点から当該病院が当該患者に対応可能になるまでの時間であり、例えば、当該病院に属する担当医師が対応できるようになるまでの時間である。受入れ時間３５Ｂ５は、実際に患者を受入れて処置可能になるまでの時間であり、移動時間３５Ｂ３及び対応時間３５Ｂ４のうち、大きい（小さくない）方の値が設定される。すなわち、救急車が病院に到着しても医師が対応できなければ、患者が待つことになるし、医師が対応可能であっても救急車が病院に来なければ、医師が待機することになるので、時間のかかる方を実際の受入れ時間とする。
【００２３】
図４（ｃ）は、検索範囲データ３５Ｃの構成を示す。検索範囲データ３５Ｃは、管理サーバ３が検索範囲を特定するためのデータであり、距離３５Ｃ１を含むレコードからなる。距離３５Ｃ１は、救急現場からの距離であり、例えば、５ｋｍ、１０ｋｍ等が設定される。そして、救急現場を中心とし、距離３５Ｃ１を半径とする円内が検索範囲として特定される。
【００２４】
なお、管理サーバ３の記憶部３５には、地図データ３５Ｄがさらに記憶される。地図データ３５Ｄは、管理サーバ３が管轄する地域の地図データであり、救急現場から病院への移動経路の特定や、その移動経路の距離の計算に用いられる。
【００２５】
図５及び図６は、病院サーバ４の記憶部４５に記憶されるデータの構成を示す図である。図５（ａ）は、部門医師データ４５Ａの構成を示す。部門医師データ４５Ａは、各診療部門に所属する医師に関するデータであり、診療部門４５Ａ１、所属医師名４５Ａ２、現在位置４５Ａ３及び音声パターン４５Ａ４を含むレコードからなる。診療部門４５Ａ１は、当該病院が備える診療部門であり、例えば、内科、外科等である。所属医師名４５Ａ２は、当該部門に所属する医師の氏名である。現在位置４５Ａ３は、当該医師がいる現在位置を示すものであり、当該医師に所持されたＧＰＳ機能付き携帯端末から取得する位置情報が設定され、最新の状態に逐次更新されるが、手術のときには、医師が携帯端末の電源を切るので無効な状態になる。音声パターン４５Ａ４は、当該医師に固有の音声パターンであり、例えば、手術中のキーワードを発した際の声紋のデータである。
【００２６】
図５（ｂ）は、空き状況データ４５Ｂの構成を示す。空き状況データ４５Ｂは、当該病院内の施設の空き状況を示すデータであり、空きベッド数４５Ｂ１及び空き手術室数４５Ｂ２を含む。空きベッド数４５Ｂ１は、現在使用されていないベッドの台数を示す。空き手術室数４５Ｂ２は、現在使用されていない手術室の数を示す。いずれも、ゼロのときには、すべてが使用中であり、空いていないことを示す。
【００２７】
図５（ｃ）は、医師対応時間データ４５Ｃの構成を示す。医師対応時間データ４５Ｃは、当該病院の医師のうち、救急患者の対応が可能になる医師に関するデータであり、医師名４５Ｃ１及び対応時間４５Ｃ２を含むレコードからなる。医師名４５Ｃ１は、管理サーバ３から問合せのあった診療部門に属する医師から、対応可能になる医師の氏名が抽出され、設定される。対応時間４５Ｃ２は、現時点から当該医師が救急患者を診察できるようになるまでの時間であり、当該医師が院内にいれば手術室までの移動時間が設定され、当該医師が手術中であればその手術が終了するまでの時間が設定される。
【００２８】
なお、病院サーバ４の記憶部４５には、病院内地図データ４５Ｄがさらに記憶される。病院内地図データ４５Ｄは、病院内の通路を示すデータであり、医師の現在位置から手術室までの移動経路を特定し、その移動距離や時間を求めるために用いられる。
【００２９】
図６（ａ）は、術式別キーワードデータ４５Ｅの構成を示す。術式別キーワードデータ４５Ｅは、術式別に手術の進捗率を示すキーワードを含むデータであり、術式名４５Ｅ１、３０％キーワード４５Ｅ２、５０％キーワード４５Ｅ３、８０％キーワード４５Ｅ４、１００％キーワード４５Ｅ５及び標準時間４５Ｅ６を含むレコードからなる。術式名４５Ｅ１は、手術の種類を示すものであり、具体的には、胃切除術、腸切除術等がある。３０％キーワード４５Ｅ２は、当該術式にかかる時間全体の３０％が終わったときに医師が発するキーワードである。５０％キーワード４５Ｅ３は、当該術式にかかる時間全体の５０％が終わったときに医師が発するキーワードである。８０％キーワード４５Ｅ４は、当該術式にかかる時間全体の８０％が終わったときに医師が発するキーワードである。１００％キーワード４５Ｅ５は、当該術式がすべて終わったときに医師が発するキーワードである。標準時間４５Ｅ６は、当該術式全体にかかる標準時間である。
【００３０】
図６（ｂ）は、医師別終了時刻データ４５Ｆの構成を示す。医師別終了時刻データ４５Ｆは、手術中の医師に関するデータであり、医師名４５Ｆ１、術式名４５Ｆ２、開始時刻４５Ｆ３及び予測終了時刻４５Ｆ４を含むレコードからなる。医師名４５Ｆ１は、現在手術中の医師の氏名である。術式名４５Ｆ２は、当該医師が行っている手術の術式名である。開始時刻４５Ｆ３は、当該医師が手術を開始した時刻である。予測終了時刻４５Ｆ４は、当該医師が手術を終了すると予測される時刻である。なお、医師名４５Ｆ１、術式名４５Ｆ２及び開始時刻４５Ｆ３は、手術開始時に設定される。また、予測終了時刻４５Ｆ４は、手術開始時に設定され、手術中に医師の発したキーワードに応じて更新される。そして、手術が終了したときに、当該レコードは削除される。
【００３１】
≪システムの処理≫
図７は、管理サーバ３の病院検索処理を示すフローチャートである。管理サーバ３は、救急現場にいる救急車に搭載された車両端末２から病院の問合せを受け付けて、最適な病院を検索し、車両端末２に通知する処理を行う。
【００３２】
まず、管理サーバ３は、車両端末２から現在位置及び所望の診療部門のデータを含む、受入れ病院に関する問合せを受信する（Ｓ７０１）。現在位置は、救急車が到着した現場において車両端末２が受信するＧＰＳ位置情報から得られるデータである。所望の診療部門は、救急隊員が車両端末２に入力するデータである。次に、記憶部３５の検索範囲データ３５Ｃを参照して、病院を検索する範囲を決定する（Ｓ７０２）。例えば、検索範囲データ３５Ｃから距離３５Ｃ１の５ｋｍを選択した場合には、検索範囲は、車両端末２から受信した現在位置を中心とする半径５ｋｍの円内に決定される。なお、検索範囲は、現在時刻から救急患者が病院で受入れ可能になるまでの受入れ時間をある程度保証するものであり、例えば、受入れ時間が検索範囲内の最大移動時間（例えば、１０分）以下になることを想定する。最大移動時間とは、車両端末２の現在位置から検索範囲の境界まで移動する際にかかる最大時間である。
【００３３】
続いて、管理サーバ３は、記憶部３５の病院データ３５Ａ及び地図データ３５Ｄを参照して、決定された検索範囲内にある病院を抽出し、対象病院データ３５Ｂに病院名３５Ｂ１、距離３５Ｂ２及び移動時間３５Ｂ３を設定する（Ｓ７０３）。病院の抽出は、病院データ３５Ａの位置情報３５Ａ２により検索範囲内に位置する病院名３５Ａ１を特定し、対象病院データ３５Ｂの病院名３５Ｂ１に設定する。距離３５Ｂ２には、地図データ３５Ｄにより現在位置から当該病院までの最適な経路（例えば、最短ルート）を特定し、その経路に沿った距離を設定する。移動時間３５Ｂ３には、当該経路を救急車の平均速度で移動した場合の時間を設定するが、道路の混雑状況等を反映させてもよい。なお、上記処理は、カーナビシステムを適用することにより実現することができる。
【００３４】
そして、管理サーバ３は、記憶部３５の対象病院データ３５Ｂに設定された検索範囲内の病院のうち、１の病院の病院サーバ４に対して、診療部門を含む、対応時間の問合せを送信する（Ｓ７０４）。この場合、送信先のアドレスとして、病院データ３５Ａに記憶されたサーバアドレス３５Ａ３を用いる。これに対する応答として、病院サーバ４からは、即時対応可能若しくは対応不可の旨又は具体的な対応時間を含むメッセージが送信されて来る。
【００３５】
病院サーバ４が即時に対応可能であれば（Ｓ７０５のＹ）、管理サーバ３は、当該病院を選択し、受入れ病院の問合せのあった車両端末２に対して病院名やその位置情報を通知するとともに、選択した病院の病院サーバ４にこれから救急車が向かう予定であることを通知する（Ｓ７１１）。この際、病院サーバ４は、携帯端末を通じて、即時対応可能な医師に呼び出しを行い、救急患者の対応を要請する。病院サーバ４が対応不可であれば（Ｓ７０５のＮ、かつ、Ｓ７０６のＹ）、Ｓ７０８の判定処理を行う（詳細は後記）。
【００３６】
病院サーバ４から受信したメッセージに具体的な対応時間が含まれていれば（Ｓ７０６のＮ）、管理サーバ３は、その対応時間を対象病院データ３５Ｂの当該レコードのうち、対応時間３５Ｂ４に設定し、対応時間３５Ｂ４及び移動時間３５Ｂ３のうち、大きい方を受入れ時間３５Ｂ５に設定する（Ｓ７０７）。そして、記憶部３５の対象病院データ３５Ｂに設定された検索範囲内のすべての病院サーバ４に問合せを行ったか否かを判定する（Ｓ７０８）。問合せをしていない病院サーバ４があれば（Ｓ７０８のＮ）、問合せを行う（Ｓ７０４）。
【００３７】
検索範囲内のすべての病院サーバ４に問合せが済んでいれば（Ｓ７０８のＹ）、管理サーバ３は、記憶部３５の対象病院データ３５Ｂに設定した受入れ時間３５Ｂ５のうち、最小値を特定する（Ｓ７０９）。そして、その最小値が所定値以下か否かを判定する（Ｓ７１０）。所定値は、例えば、検索範囲内の最大移動時間である。受入れ時間の最小値が所定値より大きい場合には（Ｓ７１０のＮ）、検索範囲内の病院の対応時間が長いことを意味するので、検索範囲を広げれば、即時対応可能な又は対応時間の短い病院が見つかる可能性があることから、検索範囲を拡大し（Ｓ７１２）、その検索範囲内の病院の抽出、設定を行う（Ｓ７０３）。なお、検索範囲を拡大しても適切な病院が見つからない場合には、Ｓ７１０の判定条件を緩和することにより、相応の病院を選択する。
【００３８】
受入れ時間の最小値が所定値以下の場合には（Ｓ７１０のＹ）、管理サーバ３は、当該病院を選択し、受入れ病院の問合せのあった車両端末２に対して病院名やその位置情報を通知するとともに、選択した病院の病院サーバ４にこれから救急車が向かう予定であることを通知する（Ｓ７１１）。この際、車両端末２は、管理サーバ３から病院名やその位置情報を受信し、ディスプレイに表示する。救急隊員は、車両端末２のディスプレイに表示された病院名やその位置情報を見て、当該病院に向かって救急車を発進させる。また、病院サーバ４は、管理サーバ３から救急車が来る旨の通知を受け、携帯端末を通じて受入れ時間の最小値に係る医師に呼び出しを行い、救急患者の対応を要請する。医師は、携帯端末による呼び出しを受けて、手術室の控室等に移動し、救急患者が来るのを待つ。
【００３９】
図８は、病院サーバ４の問合せ対応処理を示すフローチャートである。病院サーバ４は、管理サーバ３から対応時間の問合せを受信し、病院内の設備や担当医師の状況を確認し、即時対応可能若しくは対応不可の旨又は具体的な対応時間を含むメッセージを管理サーバ３に送信する処理を行う。
【００４０】
病院サーバ４は、まず、記憶部４５の部門医師データ４５Ａを参照して、管理サーバ３からの問合せに含まれる診療部門があるか否かを判定する（Ｓ８０１）。当該診療部門があれば（Ｓ８０１のＹ）、空き状況データ４５Ｂの空きベッド数４５Ｂ１を参照して、空きベッドがあるか否かを判定する（Ｓ８０２）。空きベッド数４５Ｂ１がゼロでなく、空きベッドがあれば（Ｓ８０２のＹ）、例えば、控室にいる医師や手術室の空き状況から救急患者に即時に対応可能か否かを判定する（Ｓ８０３）。即時に対応可能であれば（Ｓ８０３のＹ）、管理サーバ３に即時対応可能な旨を示すメッセージを送信する（Ｓ８１０）。
【００４１】
即時に対応可能でなければ（Ｓ８０３のＮ）、病院サーバ４は、記憶部４５の部門医師データ４５Ａ及び病院内地図データ４５Ｄを参照して、病院内に手術中でない担当医師、すなわち、呼び出しにより対応できる医師がいるか否かを判定する（Ｓ８０４）。この判定では、部門医師データ４５Ａの当該診療部門４５Ａ１の各所属医師名４５Ａ２について、当該医師の現在位置４５Ａ３が病院内地図データ４５Ｄの範囲内にあるか否かをチェックする。なお、手術中の医師は、Ｓ８０４の判定における「病院内の担当医師」とは別に取り扱われる。
【００４２】
病院内に担当医師がいれば（Ｓ８０４のＹ）、空き状況データ４５Ｂの空き手術室数４５Ｂ２を参照して、空き手術室があるか否かを判定する（Ｓ８０５）。空き手術室数４５Ｂ２がゼロでなく、空き手術室があれば（Ｓ８０５のＹ）、記憶部４５の部門医師データ４５Ａ及び病院内地図データ４５Ｄを参照して、院内医師の対応時間を計算し、記憶部４５の医師対応時間データ４５Ｃの医師名４５Ｃ１及び対応時間４５Ｃ２を設定する（Ｓ８０６）。院内医師の対応時間は、当該医師の現在位置４５Ａ３から手術室までの、病院内の通路に沿った移動時間を計算する。なお、病院内に担当医師がいない場合（Ｓ８０４のＮ）、又は、空き手術室がない場合（Ｓ８０５のＮ）には、Ｓ８０６の処理をスキップする。
【００４３】
続いて、病院サーバ４は、部門医師データ４５Ａ及び医師別終了時刻データ４５Ｆを参照して、手術中の担当医師がいるか否かを判定する（Ｓ８０７）。この判定処理では、部門医師データ４５Ａの当該診療部門４５Ａ１の所属医師名４５Ａ２のうち、医師別終了時刻データ４５Ｆの医師名４５Ｆ１に含まれる医師がいるか否かをチェックする。手術中の担当医師がいれば（Ｓ８０７のＹ）、医師別終了時刻データ４５Ｆの予測終了時刻４５Ｆ４から現在時刻を減算することにより、手術終了までの時間を計算し、医師対応時間データ４５Ｃの医師名４５Ｃ１及び対応時間４５Ｃ２を設定する（Ｓ８０８）。手術中の担当医師がいなければ（Ｓ８０７のＮ）、Ｓ８０８の処理をスキップする。
【００４４】
そして、病院サーバ４は、記憶部４５の医師対応時間データ４５Ｃに１レコード以上設定されているか否かをチェックすることにより、救急患者に対応する担当医師がいるか否かを判定する（Ｓ８０９）。対応する担当医師がいれば（Ｓ８０９のＹ）、医師対応時間データ４５Ｃに設定した対応時間４５Ｃ２のうち、最小時間を特定し、その最小の対応時間を含むメッセージを管理サーバ３に通知する（Ｓ８１１）。なお、診療部門がない場合（Ｓ８０１のＮ）、空きベッドがない場合（Ｓ８０２のＮ）又は対応する担当医師がいない場合（Ｓ８０９のＮ）には、管理サーバ４に対応不可の旨を示すメッセージを通知する（Ｓ８１２）。
【００４５】
図９は、病院サーバ４の手術終了時刻予測処理を示すフローチャートである。病院サーバ４は、例えば、手術室に設置された端末から手術開始のメッセージを受信したときに、手術終了時刻を予測し、その後、手術中に医師から進捗状況を示すキーワードを取得し、そのキーワードに基づいて手術終了時刻の予測値を更新する処理を行う。なお、図８の管理サーバ３からの問合せ対応処理と、図９の手術終了時刻予測処理とは、病院サーバ４の処理部４４において別のタスクとして非同期に実行され、手術終了時刻予測処理が予測終了時刻を設定し、問合せ対応処理がその予測終了時刻を参照するという動作が行われる。
【００４６】
まず、病院サーバ４は、手術開始のメッセージに含まれる医師名、術式名及び開始時刻を取得し、医師別終了時刻データ４５Ｆの医師名４５Ｆ１、術式名４５Ｆ２及び開始時刻４５Ｆ３に設定する（Ｓ９０１）。このようにレコードが追加されることにより、医師が手術を開始したことが分かる。次に、術式別キーワードデータ４５Ｅを参照して、当該術式名４５Ｅ１の標準時間４５Ｅ６を開始時刻４５Ｆ３に加算し、その加算値を予測終了時刻４５Ｆ４に設定する（Ｓ９０２）。図６の例では、術式Ｉの標準時間４５Ｅ６が６０分で、術式Ｉを行うＸ医師の開始時刻４５Ｆ３が１３：００なので、予測開始時刻４５Ｆ４は一旦１４：００に設定される。
【００４７】
そして、病院サーバ４は、手術室に設置されたマイクから音声を受信したか否かを判定する（Ｓ９０３）。音声を受信していれば（Ｓ９０３のＹ）、記憶部４５の部門医師データ４５Ａを参照して該当する音声パターン４５Ａ４から所属医師名４５Ａ２を特定し、医師別終了時刻データ４５Ｆを参照して医師名４５Ｆ１から術式名４５Ｆ２を特定する（Ｓ９０４）。なお、医師名の特定は、音声パターンによる方法に限られることはなく、例えば、音声を受信したマイクが設置された手術室のスケジュール等から、その時に当該手術室で手術を行っている医師の氏名を特定するようにしてもよい。次に、受信した音声がキーワードか否かを判定する（Ｓ９０５）。この判定処理では、術式別キーワードデータ４５Ｅを参照して、その音声が３０％キーワード４５Ｅ２、５０％キーワード４５Ｅ３、８０％キーワード４５Ｅ４及び１００％キーワード４５Ｅ５のいずれかであるか否かをチェックする。
【００４８】
音声がキーワードであれば（Ｓ９０５のＹ）、１００％キーワードか否かを判定する（Ｓ９０６）。１００％キーワードであれば（Ｓ９０６のＹ）、手術が終了したことを意味するので、医師別終了時刻データ４５Ｆのうち、当該医師名４５Ｆ１のレコードを削除する（Ｓ９０７）。１００％キーワードでなければ（Ｓ９０６のＮ）、音声が３０％キーワード４５Ｅ２、５０％キーワード４５Ｅ３及び８０％キーワード４５Ｅ４のいずれかであるので、該当するキーワードに応じて予測終了時刻を計算し、その時刻により医師別終了時刻データ４５Ｆの予測終了時刻４５Ｆ４を更新し（Ｓ９０８）、音声受信の判定処理（Ｓ９０３）に戻る。
【００４９】
予測終了時刻を計算する処理では、例えば、音声が「半分終わり」であれば、術式別キーワードデータ４５Ｅにより５０％キーワードなので、手術が５０％終わっていることになる。そして、そのときの現在時刻が１３：３５だとすれば、開始時刻４５Ｆ３の１３：００から３５分（前半５０％）が経過していることになり、手術が同じペースで進行すると想定すれば、終了するのは、現在時刻の１３：３５に３５分（後半５０％）を加算した１４：１０になると予測される。一般には、Ｘ％キーワードを受信したときに開始時刻からＹ分経過していれば、終了までの残り時間の予測値は、Ｙ＊（１００−Ｘ）／Ｘにより求められる。
【００５０】
手術室から音声を受信しない場合（Ｓ９０３のＮ）又は受信した音声がキーワードでない場合（Ｓ９０５のＮ）には、病院サーバ４が音声受信の判定処理（Ｓ９０３）に戻る。
【００５１】
なお、Ｓ９０３〜Ｓ９０８の処理は、必ずしもＳ９０１〜Ｓ９０２の処理にそのまま続くものではなく、複数の手術が並行して行われている場合には、Ｓ９０３において複数の手術室のマイクから音声を受信することになるので、個々の音声受信をトリガにして順次Ｓ９０４〜Ｓ９０８の処理を実行する。
【００５２】
上記実施の形態では、図１に示す救急病院選択システム１内の各装置（端末及びサーバ）を機能させるために、ＣＰＵで実行されるプログラムをコンピュータにより読み取り可能な記録媒体に記録し、その記録したプログラムをコンピュータに読み込ませ、実行させることにより、本発明の実施の形態に係る救急病院選択システム１が実現されるものとする。この場合、プログラムをインターネット等のネットワーク経由でコンピュータに提供してもよいし、プログラムが書き込まれた半導体チップ等をコンピュータに組み込んでもよい。
【００５３】
以上説明した本発明の実施の形態によれば、救急患者を受入れ可能な病院を適切に決定することができる。医師が救急患者に対応できるか否かを、現在の状態だけではなく、今からどのくらい経ったら医師が対応可能になるかという将来的な予測も含めて、病院の対応時間を計算するので、救急搬送先となる病院を広く検討することができる。これによれば、たらいまわし状態により無駄な時間が経過するのを防止することができる。また、手術中の医師がマイルストーンごとに発する音声を認識することにより、手術の進捗状況を示すキーワードに基づいて手術の終了時刻を予測するので、医師の進捗状況の入力し忘れを防止することができ、病院の対応時間を精度よく求めることができる。
【００５４】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００５５】
（１）上記実施の形態では、管理サーバ３により移動時間及び対応時間のうち、より大きい方を受入れ時間とし、その受入れ時間の最も小さい病院を選択するように記載したが、他の選択基準を適用してもよい。例えば、検索範囲内に位置する病院の中から、対応時間の短い病院、現場からの近い病院、医療費が安い病院等を選択するようにしてもよい。
【００５６】
（２）上記実施の形態では、図８のＳ８０７や図９のＳ９０１に示すように、手術中の医師がいるか否かの判断を、手術を開始する医師の端末入力操作によって設定されたデータを参照して行うように記載したが、別の方法で行うようにしてもよい。例えば、手術室における音声、映像、重さ、機器の動作、ランプの点灯等により、手術中であることを検知することが考えられる。
【００５７】
（３）上記実施の形態のようにキーワードごとの進捗率を設定するのではなく、術式ごとに、キーワードごとの標準時間及び全体の標準時間を設定するようにしてもよい。この場合、全体の予測時間＝全体の標準時間＊実際の経過時間／標準時間となり、残り時間＝全体の予測時間−実際の経過時間となる。
【符号の説明】
【００５８】
１      救急病院選択システム
２      車両端末（端末）
３      管理サーバ
３４    処理部
３５    記憶部
３５Ｂ  対象病院データ
３５Ｂ１  病院名
３５Ｂ３  移動時間
３５Ｂ４  対応時間
３５Ｂ５  受入れ時間
３５Ｃ  検索範囲データ
４      病院サーバ
４４    処理部
４５    記憶部
４５Ａ  部門医師データ
４５Ａ２  所属医師名
４５Ａ３  現在位置（位置）
４５Ａ４  音声パターン
４５Ｃ  医師対応時間データ
４５Ｃ１  医師名
４５Ｃ２  対応時間
４５Ｅ  術式別キーワードデータ
４５Ｆ  医師別終了時刻データ
４５Ｆ１  医師名
４５Ｆ４  予測終了時刻（手術終了時刻）
【図１】
2011048775.tif 000003
【図２】
2011048775.tif 000004
【図３】
2011048775.tif 000005
【図４】
2011048775.tif 000006
【図５】
2011048775.tif 000007
【図６】
2011048775.tif 000008
【図７】
2011048775.tif 000009
【図８】
2011048775.tif 000010
【図９】
2011048775.tif 000011